(57)【特許請求の範囲】
【請求項１】
米ぬかと粉砕した茶を泥炭で粒状又はペレット状の固形物を形成し、水を張った水田に前記固形物をまいて、前記固形物を沈下させる
ことを特徴とする水田の防草方法。
【請求項２】
米ぬかを泥炭で粒状又はペレット状の固形物を形成し、水を張った水田に前記固形物をまいて、前記固形物を沈下させる
ことを特徴とする水田の防草方法。
【請求項３】
粉砕した茶を泥炭で粒状又はペレット状の固形物を形成し、水を張った水田に前記固形物をまいて、前記固形物を沈下させる
ことを特徴とする水田の防草方法。
【請求項４】
容積比で米ぬか１〜２、粉砕した茶１〜２、泥炭１を混合して粒状又はペレット状の
固形物を形成し、水を張った水田に前記固形物をまいて、前記固形物を沈下させる
ことを特徴とする水田の防草方法。
【請求項５】
粉砕した茶は、茶製造によって生じる残渣の茶又は、茶抽出後の茶葉である
ことを特徴とする請求項１又は請求項３又は請求項４記載の水田の防草方法。
【請求項６】
米ぬかと粉砕した茶を泥炭で粒状又はペレット状の固形物を形成し、前記固形物の比重を１より大とした
ことを特徴とする水田の防草材。
【請求項７】
米ぬかを泥炭で粒状又はペレット状の固形物を形成し、前記固形物の比重を１より大とした
ことを特徴とする水田の防草材。
【請求項８】
粉砕した茶を泥炭で粒状又はペレット状の固形物を形成し、前記固形物の比重を１より大と
したことを特徴とする水田の防草材。
【請求項９】
容積比で米ぬか１〜２、粉砕した茶１〜２、泥炭１を混合して粒状又はペレット状の
固形物を形成し、前記固形物の比重を１より大とした
ことを特徴とする水田の防草材。
【請求項１０】
粉砕した茶は、茶製造によって生じる残渣の茶又は、茶抽出後の茶葉である
ことを特徴とする請求項６又は請求項８又は請求項９記載の水田の防草材。
【請求項１１】
請求項６又は請求項７又は請求項８又は請求項９記載の水田の防草材を水田の一年生
雑草、多年生雑草、アオミドロの藻類の上に散布する
ことを特徴とする水田の防草方法。
【発明の詳細な説明】
【技術分野】
【０００１】
本発明は、水田の防草方法及び水田の防草材に係り、特に、防草効果を高めることができる水田の防草方法及び水田の防草材に関する。
【背景技術】
【０００２】
稲の生長を妨げるような雑草の発生を防止するため、有機物からなる防草材として、例えば、米糠や米糠に大豆糠等を混ぜて作ったものがあり（例えば、特許文献参照）、田植え前の田圃の水取入口から防草材を水に乗せて流し込んだり、田植後手散布している。
【先行技術文献】
【特許文献】
【０００３】
【特許文献１】特開2002-125489号公報
【発明の概要】
【発明が解決しようとする課題】
【０００４】
ところが、米糠や米糠に大豆糠等を混ぜて作った防草材を田圃へ散布した場合、それなりの効果はあるが、前記防草材の比重が水より軽いため、水とともに流れたり、風による不均一散布となり、せっかくの防草効果を継続することができないという問題点が生じた。
【０００５】
本発明は、上記問題点を除去するようにした水田の防草方法及び水田の防草材を提供することを目的とする。
【課題を解決するための手段】
【０００６】
請求項１記載の水田の防草方法は、米ぬかと粉砕した茶を泥炭で粒状又はペレット状の固形物を形成し、水を張った水田に前記固形物をまいて、前記固形物を沈下させるものである。
【０００７】
また、請求項２記載の水田の防草方法は、米ぬかを泥炭で粒状又はペレット状の固形物を形成し、水を張った水田に前記固形物をまいて、前記固形物を沈下させるものである。
【０００８】
また、請求項３記載の水田の防草方法は、粉砕した茶を泥炭で粒状又はペレット状の固形物を形成し、水を張った水田に前記固形物をまいて、前記固形物を沈下させるものである。
【０００９】
また、請求項４記載の水田の防草方法は、容積比で米ぬか１〜２、粉砕した茶１〜２、泥炭１を混合して粒状又はペレット状の固形物を形成し、水を張った水田に前記固形物をまいて、前記固形物を沈下させるものである。
【００１０】
また、請求項５記載の水田の防草方法は、請求項１又は請求項３又は請求項４記載の水田の防草方法において、粉砕した茶は、茶製造によって生じる残渣の茶又は、茶抽出後の茶葉である。
【００１１】
また、請求項６記載の水田の防草材は、米ぬかと粉砕した茶を泥炭で粒状又はペレット状の固形物を形成し、前記固形物の比重を１より大としたものである。
【００１２】
また、請求項７記載の水田の防草材は、米ぬかを泥炭で粒状又はペレット状の固形物を形成し、前記固形物の比重を１より大としたものである。
【００１３】
また、請求項８記載の水田の防草材は、粉砕した茶を泥炭で粒状又はペレット状の固形物を形成し、前記固形物の比重を１より大としたものである。
【００１４】
また、請求項９記載の水田の防草材は、容積比で米ぬか１〜２、粉砕した茶１〜２、泥炭１を混合して粒状又はペレット状の固形物を形成し、前記固形物の比重を１より大としたものである。
【００１５】
また、請求項１０記載の水田の防草材は、請求項６又は請求項８又は請求項９記載の水田の防草材において、粉砕した茶は、茶製造によって生じる残渣の茶又は、茶抽出後の茶葉である。
【発明の効果】
【００１６】
請求項１記載の水田の防草方法によれば、米ぬかと粉砕した茶を泥炭で粒状又はペレッ状の固形物を形成し、水を張った水田に前記固形物をまいて、前記固形物を沈下させるため、水田内に沈下した固形物は流れにくく沈下した場所に留まって、固形物の米ぬか、茶の成分が徐々に溶け出して、土壌表面と水面に膜を張り、光、外気等を遮断して、除草剤に頼らず、雑草の発芽生育を抑えることができ、しかも、米ぬか、粉砕した茶は、稲の栄養成分ともなる。
【００１７】
また、請求項２記載の水田の防草方法によれば、米ぬかを泥炭で粒状又はペレット状の固形物を形成し、水を張った水田に前記固形物をまいて、前記固形物を沈下させるため、水田内に沈下した固形物は流れにくく沈下した場所に留まって、固形物の米ぬかの成分が徐々に溶け出して、土壌表面と水面に膜を張り、光、外気等を遮断して、除草剤に頼らず、雑草の発芽生育を抑えることができ、しかも、米ぬかは、稲の栄養成分ともなる。
【００１８】
また、請求項３記載の水田の防草方法によれば、粉砕した茶を泥炭で粒状又はペレット状の固形物を形成し、水を張った水田に前記固形物をまいて、前記固形物を沈下させるため、水田内に沈下した固形物は流れにくく沈下した場所に留まって、固形物の粉砕した茶の成分が徐々に溶け出して、土壌表面と水面に膜を張り、光、外気等を遮断して、除草剤に頼らず、雑草の発芽生育を抑えることができ、しかも、粉砕した茶は、稲の栄養成分ともなる。
【００１９】
また、請求項４記載の水田の防草方法によれば、容積比で米ぬか１〜２、粉砕した茶１〜２、泥炭１を混合して粒状又はペレット状の固形物を形成し、水を張った水田に前記固形物をまいて、前記固形物を沈下させるため、水田内に沈下した固形物は流れにくく沈下した場所に留まって、固形物の米ぬか、茶の成分が徐々に溶け出して、土壌表面と水面に膜を張り、光、外気等を遮断して、除草剤に頼らず、雑草の発芽生育を抑えることができ、しかも、米ぬか、粉砕した茶、泥炭は、稲の栄養成分ともなる。
【００２０】
また、請求項５記載の水田の防草方法によれば、上述した請求項１又は請求項３又は請求項４記載の発明の効果に加え、粉砕した茶は、茶製造によって生じる残渣の茶又は、茶抽出後の茶葉であるため、焼却処分していた厄介な「茶製造によって生じる残渣の茶又は、茶抽出後の茶葉」の有効利用を図ることができる。
【００２１】
また、請求項６記載の水田の防草材によれば、米ぬかと粉砕した茶を泥炭で粒状又はペレット状の固形物を形成し、前記固形物の比重を１より大としたため、固形物は、水田内に沈下し、沈下した固形物は流れにくく沈下した場所に留まって、固形物の米ぬか、茶の成分が徐々に溶け出して、土壌表面と水面に膜を張り、光、外気等を遮断して、除草剤に頼らず、雑草の発芽生育を抑えることができ、しかも、米ぬか、粉砕した茶は、稲の栄養成分ともなる。
【００２２】
また、請求項７記載の水田の防草材によれば、米ぬかを泥炭で粒状又はペレット状の固形物を形成し、前記固形物の比重を１より大としたため、固形物は、水田内に沈下し、沈下した固形物は流れにくく沈下した場所に留まって、固形物の米ぬかの成分が徐々に溶け出して、土壌表面と水面に膜を張り、光、外気等を遮断して、除草剤に頼らず、雑草の発芽生育を抑えることができ、しかも、米ぬかは、稲の栄養成分ともなる。
【００２３】
また、請求項８記載の水田の防草材によれば、粉砕した茶を泥炭で粒状又はペレット状の固形物を形成し、前記固形物の比重を１より大としたため、固形物は、水田内に沈下し、沈下した固形物は流れにくく沈下した場所に留まって、固形物の茶の成分が徐々に溶け出して、土壌表面と水面に膜を張り、光、外気等を遮断して、除草剤に頼らず、雑草の発芽生育を抑えることができ、しかも、粉砕した茶は、稲の栄養成分ともなる。
【００２４】
また、請求項９記載の水田の防草材によれば、容積比で米ぬか１〜２、粉砕した茶１〜２、泥炭１を混合して粒状又はペレット状の固形物を形成し、前記固形物の比重を１より大としたため、固形物は、水田内に沈下し、沈下した固形物は流れにくく沈下した場所に留まって、固形物の米ぬか、茶の成分が徐々に溶け出して、土壌表面と水面に膜を張り、光、外気等を遮断して、除草剤に頼らず、雑草の発芽生育を抑えることができ、しかも、米ぬか、粉砕した茶、泥炭は、稲の栄養成分ともなる。
【００２５】
また、請求項１０記載の水田の防草材によれば、上述した請求項６又は請求項８又は請求項９記載の発明の効果に加え、粉砕した茶は、茶製造によって生じる残渣の茶又は、茶抽出後の茶葉であるため、焼却処分していた厄介な「茶製造によって生じる残渣の茶又は、茶抽出後の茶葉」の有効利用を図ることができる。
【図面の簡単な説明】
【００２６】
【図１】図１は、本願発明の一実施例の水田の防草方法及び水田の防草材の効果を確かめる試験に使用する箱ポット試験を田植翌日に撮影した写真である。
【図２】図２は、１区の田植後１３日（２０２０年７月９日）の箱ポットを撮影した写真である。
【図３】図３は、２区の田植後１３日（２０２０年７月９日）の箱ポットを撮影した写真である。
【図４】図４は、３区の田植後１３日（２０２０年７月９日）の箱ポットを撮影した写真である。
【図５】図５は、４区の田植後１３日（２０２０年７月９日）の箱ポットを撮影した写真である。
【図６】図６は、５区の田植後１３日（２０２０年７月９日）の箱ポットを撮影した写真である。
【図７】図７は、６区の田植後１３日（２０２０年７月９日）の箱ポットを撮影した写真である。
【図８】図８は、７区の田植後１５日（２０２０年７月１２日）の箱ポットを撮影した写真である。
【図９】図９は、８区の田植後１５日（２０２０年７月１２日）の箱ポットを撮影した写真である。
【図１０】図１０は、９区の田植後１５日（２０２０年７月１２日）の箱ポットを撮影した写真である。
【図１１】図１１は、本試験実施田植後３８日目の全景写真である。
【図１２】図１２は、掛川市下大東の水稲有機栽培水田におけるアオミドロの多発生状態の写真である。
【図１３】図１３は、掛川市下大東の水稲有機栽培水田のアオミドロを手取りした状態の写真である。
【図１４】図１４は、上記の米ぬかと緑茶粉を泥炭で結着固形した防草材によるアオミドロの枯死状態の写真である。
【図１５】図１５は、上記の米ぬかと緑茶粉を泥炭で結着固形した防草材により回復した水稲（図１４の右側）の生育状態の写真である。
【図１６】図１６は、２０２０年６月８日田植え直後の無処理とペレットを用いた（施用）ものとを撮影した写真である。
【図１７】図１７は、防草材（ペレット）を施用した５日後のペレットを用いた（施用）と無処理のものとを撮影した写真である。
【図１８】図１８は、防草材（ペレット）を施用した５日後のペレットを用いた（施用）と無処理のものとを撮影した写真である。
【図１９】図１９は、防草材（ペレット）を施用した１３日後のペレットを用いた（施用）と無処理のものとを撮影した写真である。
【図２０】図２０は、防草材（ペレット）を施用した４７日後のペレットを用いた（施用）と無処理のものとを撮影した写真である。
【図２１】図２１は、防草材（ペレット）を施用した１０７日後のペレットを用いた（施用）と無処理のものとを撮影した写真である。
【図２２】図２２は、防草材（ペレット）を施用した１４１日後のペレットを用いた（施用）と無処理のものとを撮影した写真である。
【発明を実施するための形態】
【００２７】
本発明の一実施例の水田の防草方法及び水田の防草材を図面（図１乃至図２２）を参照して説明する。
【００２８】
水田の防草方法は、水田の防草材を水を張った水田にまいて行うもので、水田の防草材は、米ぬかと粉砕した茶を結着材で粒状又はペレット状の固形物を形成し、前記固形物の比重を１より大としたものである。なお、結着材は、例えば、泥炭であり、結着材で固形物が結着しない場合には、適宜の量の水を加える。泥炭以外の結着材としては、例えば、おから、屑米、粉砕したツルムラサキ、粉砕したイモズルの搾汁、ベントナイト及び含鉄資材等がある。
【００２９】
具体的には、容積比で米ぬか１〜２、粉砕した茶１〜２、泥炭１を混合して粒状又はペレット状の固形物を形成し、前記固形物の比重を１より大とした。
そのため、水を張った水田に前記固形物をまくと、前記固形物が沈下し、前記固形物中の米ぬか、茶の成分が溶け出し、防草効果を継続させることができる。
【００３０】
上述した水田の防草方法によれば、米ぬかと粉砕した茶を結着材で粒状又はペレット状のして固形物を形成し、水を張った水田に前記固形物をまいて、前記固形物を沈下させるため、水田内に沈下した固形物は流れにくく沈下した場所に留まって、固形物の米ぬか、茶の成分が徐々に溶け出して、土壌表面と水面に膜を張り、光、外気等を遮断して、除草剤に頼らず、雑草の発芽生育を抑えることができ、しかも、米ぬか、粉砕した茶は、稲の栄養成分ともなる。
【００３１】
図１〜図１５の実験結果について、以下説明する。
栽培処理
縦２３ｃｍ×横３６ｃｍ  深さ２５ｃｍの発泡スチロール箱に雑草多発性水田の表土と畑土壌を均一に混和して入れ、更にこれにノビエ、コナギ、カヤツリグサ、ホタルイ等の混土種子を同一量ずつ入れる。
施肥：灌水前に有機肥料（龍王）１０ａ当たりＮ成分８ｋｇの相当量を混土した。
代掻き：２０２０年６月２５日に徐々に入水荒代掻きをし、更に６月２６日に植代掻            きを行い、雑草種子と土壌の混和を図り、以後水深５ｃｍに保持した。
田植：６月２６日の夕方に水稲品種きぬむすめ４０日苗を均一に選抜して１株４本植          え、発泡スチロール箱当たり２株を移植した。
0006982916.tif 000002
0006982916.tif 000003
0006982916.tif 000004
0006982916.tif 000005
考察
（１）米ぬか区と緑茶区（５区と６区）では、除草効果と水稲生育への影響を検討した      が、これら両資材は多量処理では水稲の生育中期の分ケツ期頃に若干の生育抑制影      響があると思われる。又、多量処理では除草効果は大きいと思われる。
（２）クサオサエペレットの、多量処理区（２，３，４区）では主として水稲への生育      影響を検討したが、肥料的過剰の影響はなく、許容力が大きいと思われた。
（３）クサオサエペレットの、通常処理区（７，８，９区）では水稲への影響はほとん      どなく、抑草力は処理量に準じた値を示した。今回は発生雑草量が通常の水田より      桁違いに多い条件下にあったにもかかわらず高い効果を示した。特に主要雑草のノ      ビエやホタルイ、コナギに対して高い除草効果を示し、アール当たり３０ｋｇ処理      で大きな抑草力があると考えられる。
（４）今回は雑草の発生が異常に多い条件下でしかも田植後やや遅い散布処理という条      件で試験したが、次回はこれを改め、ペレット構成資材のそれぞれの有効組み合わ      せについても検討したい。
「クサオサエペレット」によるアオミドロ防除試験
１、目的
田植時の低水温によって発生するアオミドロやアミミドロの藻類による水稲苗の被    覆枯死を防止するため、米ぬかと緑茶粉を主体にこれを結着材で固めたペレットを散    布して、藻類を枯死させ水稲苗の安定活着を図る。
２、ペレットの製造とその処理
米ぬか１〜２、緑茶１〜２、泥炭１の泥炭１の容積比で混合したペレットをアール    当たり３０kgを発生したアオミドロの上に散布した。
３、ペレットの効果と考察
ペレット散布後１〜２日でアオミドロは黒褐色に変色し、４〜５日後には黒色溶解    し、１週間後には完全枯死した。水稲苗には全く影響なく、その効果が確認された。    水稲苗は散布後４〜５日後で立ち上がり始め、１週間後には正常な生育に回復した。
以上の結果より、水稲移植後に発生した藻類にはできるだけ早くアール当たり２０    〜３０kgのペレットを藻類上や水田に散布することが必要である。
つまり、「米ぬかと粉砕した茶を結着材で粒状又はペレット状の固形物」、「米ぬ    かと粉砕した茶を結着材で粒状又はペレット状の固形物を形成し、前記固形物の比重    を１より大としたもの」、後述する「米ぬかを結着材で粒状又はペレット状の固形物    」「粉砕した茶を結着材で粒状又はペレット状の固形物」の水田の防草材を水田の一    年生雑草、多年生雑草、アオミドロの藻類の上に散布して、藻類の発芽、生育抑制の    効果を有するものである。
米ぬか（５区）の上記実験より、「米ぬかを多量に、水を張った水田にまいて、沈下させる水田の防草方法」、水田内に沈下した米ぬかは流れにくく沈下した場所に留まって、米ぬかの成分が徐々に溶け出して、土壌表面と水面に膜を張り、除草剤に頼らず、雑草の発芽生育を抑えることができ、防草効果があることがわかる。
また、粉砕した茶（緑茶粉）（６区）の上記実験より、「粉砕した茶（緑茶粉）を多量に、水を張った水田にまいて、沈下させる水田の防草方法」、水田内に沈下した緑茶粉は流れにくく沈下した場所に留まって、粉砕した茶（緑茶粉）の成分が徐々に溶け出して、土壌表面と水面に膜を張り、光、外気等を遮断して、除草剤に頼らず、雑草の発芽生育を抑えることができ、防草効果があることがわかる。
なお、粉砕した茶（緑茶粉）は、製品としての茶でも良いが、望ましくは、茶製造によって生じる残渣の茶又は、茶抽出後の茶葉を利用することにより、従来、焼却処分していた厄介な「茶製造によって生じる残渣の茶又は、茶抽出後の茶葉」の有効利用を図ることができる。
【００３２】
上記「ペレット」は、容積比で米ぬか２、粉砕した茶２、泥炭１を混合して粒状又はペレット状にして固形物を形成し、前記固形物の比重を１より大としたが、容積比で米ぬか１、粉砕した茶１、泥炭１を混合して粒状又はペレット状の固形物を形成し、前記固形物の比重を１より大としたペレットにおいても、図１６乃至図２２に示すように、防草効果があった。この実験に使用したペレットの量は、１アールに対して２５ｋｇを用いた。
なお、上述した実施例にあっては、米ぬかと粉砕した茶を結着材で粒状又はペレット状の粒状又はペレット状の固形物を形成し、水を張った水田に前記固形物をまいて、前記固形物を沈下させるようにしたが、本願発明にあっては、これに限らず、米ぬかを結着材で粒状又はペレット状のして固形物を形成し、水を張った水田に前記固形物をまいて、前記固形物を沈下させるようにしても良い。上述した米ぬか（５区）の上記実験より、米ぬかは、イネの生育には支障はなかった。また、粉砕した茶を結着材で粒状又はペレット状のして固形物を形成し、水を張った水田に前記固形物をまいて、前記固形物を沈下させるようにしても良い。上述した粉砕した茶（緑茶粉）（６区）の上記実験より、粉砕した茶（緑茶粉）は、イネの生育には支障はなかった。
また、「米ぬかと粉砕した茶を結着材（例えば、泥炭）で粒状又はペレット状の固形物（例えば、泥炭）」又は「米ぬかを結着材（例えば、泥炭）で粒状又はペレット状の固形物」又は「粉砕した茶を結着材で粒状又はペレット状の固形物」の水田の防草材を水田の一年生雑草、多年生雑草、アオミドロの藻類の上に散布して、水田の防草方法を行っても、水田の防草効果がある。
【要約】
【課題】
本発明の目的は、防草効果を高めることができる水田の防草方法及び水田の防草材を提供するものである。
【解決手段】
水田の防草方法は、米ぬかと粉砕した茶を結着材で粒状又はペレット状の固形物を形成し、水を張った水田に前記固形物をまいて、前記固形物を沈下させるものである。
【選択図】図４【図１】
0006982916.tif 000006
【図２】
0006982916.tif 000007
【図３】
0006982916.tif 000008
【図４】
0006982916.tif 000009
【図５】
0006982916.tif 000010
【図６】
0006982916.tif 000011
【図７】
0006982916.tif 000012
【図８】
0006982916.tif 000013
【図９】
0006982916.tif 000014
【図１０】
0006982916.tif 000015
【図１１】
0006982916.tif 000016
【図１２】
0006982916.tif 000017
【図１３】
0006982916.tif 000018
【図１４】
0006982916.tif 000019
【図１５】
0006982916.tif 000020
【図１６】
0006982916.tif 000021
【図１７】
0006982916.tif 000022
【図１８】
0006982916.tif 000023
【図１９】
0006982916.tif 000024
【図２０】
0006982916.tif 000025
【図２１】
0006982916.tif 000026
【図２２】
0006982916.tif 000027